(57)【要約】      （修正有）【課題】安全な走行を維持できるだけの必要十分なグリップ力を確保しつつ、エナルギーロスを避けることができるオフロード走行用の自転車用タイヤを提供する。【解決手段】トレッド面２上に複数のブロック３が配置される自転車用タイヤ１において、ブロック３は、上面形状が多角形状であり、上面３ａから底面にかけて、１つ以上の凹部５が設けられるものである。トレッド面２上に設けられるブロック３は、路面接触時に、荷重に伴う路面からの抗力によって、中央部５ｅが陥没し、凹部５が閉じられる。ブロック３の凹部５は、ブロック３上面の側周縁部付近から中央部５ｅにかけて、次第に深くなるように設けられている。【選択図】図１
0003195409.tif 000002
【実用新案登録請求の範囲】
【請求項１】
トレッド面上に複数のブロックが配置される自転車用タイヤにおいて、
前記ブロックは、上面から底面にかけて、１つ以上の凹部が設けられることを特徴とする自転車用タイヤ。
【請求項２】
前記ブロックは、路面接触時に、荷重に伴う路面からの抗力によって、中央部が陥没し、前記凹部が閉じられることを特徴とする請求項１に記載の自転車用タイヤ。
【請求項３】
前記ブロックの前記凹部は、
前記ブロックの前記上面の側周縁部付近から前記上面の中央部にかけて、次第に深くなるように設けられることを特徴とする請求項１又は２に記載の自転車用タイヤ。
【請求項４】
前記凹部の上面形状は、線状、多角形状、その他の幾何学的形状、或は、線状、多角形状、その他の幾何学的形状の何れかの組み合わせであって、
前記凹部の中央部に設けられた側壁は、側壁面の端部から中心部にかけて湾曲しており、かつ、次第に深くなる、
ことを特徴とする請求項１〜３の何れかに記載の自転車用タイヤ。
【請求項５】
前記ブロックの上面形状は、多角形状、或は、その他の幾何学的形状であることを特徴とする請求項１〜４の何れかに記載の自転車用タイヤ。
【考案の詳細な説明】
【技術分野】
【０００１】
本考案は、転がり抵抗を低く抑えつつ、必要なグリップ力を増強する自転車用タイヤに関し、特に、オフロード走行用の自転車用タイヤに関する。
【背景技術】
【０００２】
一般に、オフロード走行用の自転車において、安全かつ快適な走行が求められていることは言うまでもない。そこで、オフロード走行用の自転車用タイヤでは、荒れた路面でも十分なグリップ力を発揮できるように、トレッド面上に凸状のブロックが配置されて、表面が柔らかい路面に喰い込むように設計されていることが多い。凸状のブロックの高さや、ブロック間の間隔は、タイヤの種類毎に、使用目的に応じて、多種多様に設定されているが、悪路でのグリップ力を重視すればするほどブロックの高さが高く、かつ、ブロック間の間隔が広く設定される傾向にある。
【０００３】
しかし、ブロックを高くしたり、ブロック間の間隔を広く設定したりすると、転がり抵抗が増加し、体力の消耗が激しくなるといったエネルギーロスの問題が発生する。
一方で、ブロックを低くしたり、ブロック間の間隔を狭く設定したりすると、転がり抵抗は減少するので、エネルギーロスの問題は解消するが、一方で十分なグリップ力が得られなくなり、加速性、制動性及びコーナリング性が十分に得られなくなるといった問題がある。
【０００４】
このような事情から、タイヤの回転方向に対して先端が幅狭、後端が幅広である凸状のブロックを用いた自転車用タイヤが知られている（例えば、特許文献１を参照。）。特許文献１に開示された自転車用タイヤでは、設置位置や設置方向をも工夫することで、自転車の操縦性や泥はけ性も高めている。
また、ブロックの設置位置だけではなく、ブロックに用いる素材を工夫した自転車用タイヤが知られている（例えば、特許文献２を参照。）。特許文献２に開示された自転車用タイヤでは、車輪の進行方向に対して並行にナイロン短繊維を使用したブロックを設けることで、車輪の進行方向に対しては変形しにくく、車輪の軸方向には変形しやすくし、コーナリング性等を向上させている。
【０００５】
しかしながら、特許文献１及び特許文献２に開示された自転車用タイヤでは、加速、制動又はコーナリング等の操縦者の積極的な操縦行為の有無が考慮されていないため、操縦者にとって、必ずしも、必要なタイミングで、グリップ性やエネルギーロスの回避が実現されるというものではない。
【先行技術文献】
【特許文献】
【０００６】
【特許文献１】特開平５−１６２５１０号公報
【特許文献２】特開平７−３０４３０６号公報
【考案の概要】
【考案が解決しようとする課題】
【０００７】
上記状況に鑑みて、本考案は、安全な走行を維持できるだけの必要十分なグリップ力を確保しつつ、エナルギーロスを避けることができるオフロード走行用の自転車用タイヤを提供することを目的とする。
【課題を解決するための手段】
【０００８】
上記目的を達成すべく、本考案の自転車用タイヤは、トレッド面上に複数のブロックが配置される自転車用タイヤにおいて、ブロックは、上面形状が多角形状であり、上面から底面にかけて、１つ以上の凹部が設けられるものである。
【０００９】
また、本考案の自転車用タイヤは、トレッド面上に設けられるブロックが、路面接触時に、荷重に伴う路面からの抗力によって、中央部が陥没し、凹部が閉じられるものである。
本考案の自転車用タイヤは、ブロックの凹部が、ブロック上面の側周縁部付近から中央部にかけて、次第に深くなるように設けられている。
【００１０】
ブロックに凹部が設けられることで、加速、制動又はコーナリング等の操縦者による操縦行為があった時にだけブロックが変形してグリップ力を増強することが可能になる。
すなわち、操縦行為時には、定速走行時に比べて、タイヤが路面に押し付けられる圧力が強くなるため、この圧力の大きさと方向性に応じて、ブロックが中央部方向へと押し潰され、荷重を受けたブロックは、中央付近が周縁部に比べてより深く陥没するような変形をし、ブロック上面の側周縁部は、操縦行為前に比べて相対的に立ち上がる形状に変形し、グリップ力を高めるのである。
【００１１】
また、ブロックの凹部が、ブロックの側周縁部付近から中央部にかけて、次第に深くなるように設けることにより、ブロックに圧力がかかった際に、凹部が隙間無く密着し、安定したグリップ性を得られるようになる。
【００１２】
本考案の自転車用タイヤのトレッド面上に設けられるブロックの凹部は、上面形状が、線状、多角形状、その他の幾何学的形状、或は、線状、多角形状、その他の幾何学的形状、の何れかの組み合わせ、で構成される。これにより、自転車の特徴や、走行場所、操縦者の特性に合わせて、凹部の形状を調整することが可能である。
本考案の自転車用タイヤのトレッド面上に設けられるブロックの凹部の中央部に設けられた側壁は、側壁面の端部から中心部にかけて湾曲しており、かつ、次第に深くなるように設けられる。これにより、凹部が閉じられた際のブロックの密着性を高めることができる。
【００１３】
本考案の自転車用タイヤは、トレッド面上に設けられるブロックの上面形状が多角形状であることが好ましいが、その他の幾何学的形状であっても良い。
本考案の自転車用タイヤにおけるブロックの上面形状が多角形状である場合は、正多角形であっても良いし、正多角形でなくても構わない。或は、ブロックの上面形状は、左右対称でも良いし非対称でも良い。或は、ブロックの上面形状は、前後対称でも良いし非対称でも良い。或は、ブロックの上面形状は、凹部の本数は多角形の辺の数と同じでも良いし、辺の数より多くても良いし、或は少なくても良い。
【考案の効果】
【００１４】
本考案の自転車用タイヤによれば、グリップ性を高め、かつエネルギーロスの少ない走行が可能になる効果を有する。
【図面の簡単な説明】
【００１５】
【図１】実施例１において荷重を受けていない状態のブロックの斜視図
【図２】実施例１において荷重を受けていない状態のブロックの平面図
【図３】実施例１において荷重を受けた状態のブロックの斜視図
【図４】実施例１において荷重を受けた状態のブロックの平面図
【図５】実施例１において荷重を受けていない状態のブロックの平面図及びその断面図
【図６】その他の実施例において荷重を受けていない状態のブロックの上面図。ブロックの上面形状が、（１）は三角形、（２）は五角形、（３）は六角形。
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１において荷重を受けていない状態のブロック３の斜視図を示し、図２は、実施例１において荷重を受けていない状態のブロック３の平面図を示している。
図１に示されるように、自転車用タイヤ１のトレッド面２には、四角錐台状のブロック３が設けられている。
図２に示されるように、ブロック３の上面３ａは略四角形状であり、凹部５の上面形状は、端部５ａと端部５ｄを結んだ線状の凹部と、端部５ｂと端部５ｃを結んだ線状の凹部とを、Ｘ字状に組み合わせたものである。
また、凹部５は、ブロック３の側周縁部３ｂから中央部５ｅにかけて次第に深くなる形状で設けられているため、端部（５ａ，５ｂ，５ｃ，５ｄ）は最も浅く、２つの線状の凹部が交差している中央部５ｅは最も深い形状となっている。
ブロック３の凹部の中央部に設けられた側壁（５ｆ，５ｇ，５ｈ，５ｉ）は、湾曲して丸まった形状となっている。
【００１８】
図３は、実施例１において荷重を受けた状態のブロック３の斜視図を示し、図４は、実施例１において荷重を受けた状態のブロック３の平面図を示している。
図４に示されるように、荷重を受けたブロック３の上面は、荷重を受けていない図２の場合に比べて、凹部の隙間が無くなり、上面の四角形状が小さくなっている。これは、凹部のない通常の多角形状ブロックでは荷重を受けて変形する際に、周縁部のエッジが外側に広がってしまいがちであるところ、本考案の自転車用タイヤによると、荷重を受けた上面側周縁部の辺は外側から中央部へとしっかりと締まり、接地面のグリップを逃がさず保持されていることを示している。
【００１９】
また、図３に示されるように、荷重を受けたブロック３の上面角部（４ａ，４ｂ，４ｃ，４ｄ）は、荷重受けていない図１の場合に比べて、上方に向けて尖った形状となっている。このようなブロック３の変形が、荒れた路面に積極的に喰い込もうとするための有効な変化となり、グリップ力が増強されることになるのである。
そして、定速走行時は、低い転がり抵抗で車輪が回転するため、ブロック３に対して圧力がかかりにくいのに対し、加速、制動、コーナリングなど操縦者による操縦行為により大きな圧力がかかったときは、ブロック３は、瞬間的に大きな荷重を受けるため、ブロック３は変形し、グリップ力を増強させるのである。
【００２０】
図５は、実施例１において荷重を受けていない状態のブロック３の平面図及びその断面図を示している。断面図６ａは、車輪軸に平行な断面図であり、断面図６ｂは、タイヤの回転方向に平行な断面図である。断面図６ｃは、ブロック３に設けられた凹部に沿った断面図である。断面図（６ａ，６ｂ，６ｃ）に示されるように、ブロック３は、上面側周縁部から底面側周縁部にかけて、側周縁部の辺が広くなるように傾斜が設けられた四角錐台状となっている。
【００２１】
図５のブロック３の平面図に示されるように、ブロック３は上方から見ると、Ｘ字状の凹部となっているが、断面図（６ａ，６ｂ，６ｃ）に示されるように、凹部の端部が設けられているブロック３の端部（５ａ，５ｂ，５ｃ，５ｄ）付近では浅く、中央部５ｅにかけて次第に深くなっていく構造である。これは、ブロック３に荷重がかかった際に適切な角度でブロック３を密着させるためである。
【００２２】
（その他の実施例）
図６は、荷重を受けていない状態のブロックの平面図を示している。（１）は、上面形状が三角形、凹部が人字状となっているブロック３１を設けており、（２）は、上面形状が五角形、凹部が人字状となっているブロック３２を設けており、（３）は、上面形状が六角形、凹部がＸ字状となっているブロック３３を設けており、（４）は、上面形状が四角形、凹部が人字状となっているブロック３４を設けており、（５）は、上面形状が四角形、凹部がＸ字状となっているブロック３５を設けている。
このように、使用する自転車や走行する場所、操縦者の体型、体力等、使用目的に応じて、設置するブロックの形状、凹部の数、凹部の深さ等を変更することが可能である。  
【産業上の利用可能性】
【００２３】
本考案は、オフロード走行用の自転車用タイヤとして有用である。
【符号の説明】
【００２４】
１                                  自転車用タイヤ
２                                  トレッド面
３，３１，３２，３３，３４，３５    ブロック
３ａ                                上面
３ｂ                                側周縁部
４ａ，４ｂ，４ｃ，４ｄ              角部
５，５１，５２                      凹部
５ａ，５ｂ，５ｃ，５ｄ              端部
５ｅ                                中央部
５ｆ，５ｇ，５ｈ，５ｉ              側壁
６ａ，６ｂ，６ｃ                    断面図
【図１】
0003195409.tif 000003
【図２】
0003195409.tif 000004
【図３】
0003195409.tif 000005
【図４】
0003195409.tif 000006
【図５】
0003195409.tif 000007
【図６】
0003195409.tif 000008